(57)【要約】 【課題】扉の反り具合に対応して、突入するデッドの先端部を捕捉し、扉のガタ付防止を図ること【解決手段】ストライクの矩形開口の幅寸法は、デッドの両側面に対して所要の間隙が生じるように設定され、一方、トロヨケには、ニ分割された左右一組のデッド挟持片と、これらのデッド挟持片をそれぞれ所定位置へと付勢する左右一組の付勢手段を組込み、これらのデッド挟持片は、扉が反った時及び扉の反りが戻った時のいずれの場合であっても、突入するデッドの左右縁部に摺接する摺接面を介して、かつ、付勢手段の付勢力に抗して該デッドの先端部をトロヨケの凹所の奥まで挟持状態で案内すること。【選択図】  図２
2007224671.tif 000002
【特許請求の範囲】
【請求項１】
トロヨケと、ストライクとから成るデッド用受け金具に於いて、前記ストライクの矩形開口の幅寸法は、デッドの両側面に対して所要の間隙が生じるように設定され、一方、トロヨケには、ニ分割された左右一組のデッド挟持片と、これらのデッド挟持片をそれぞれ所定位置へと付勢する左右一組の付勢手段を組込み、これらのデッド挟持片は、扉が反った時及び扉の反りが戻った時のいずれの場合であっても、突入するデッドの左右縁部に摺接する摺接面を介して、かつ、前記付勢手段の付勢力に抗して該デッドの先端部をトロヨケの凹所の奥まで挟持状態で案内することを特徴とするデッド用受け金具。
【請求項２】
請求項１に於いて、デッド挟持片は、突入するデッドの縁部に対して外向きに傾斜する摺接面と、この摺接面に交差すると共にトロヨケの凹所の側壁に対向する付勢手段用支持面と、この支持面に直交するガイド面とを有するブロックであることを特徴とするデッド用受け金具。
【請求項３】
請求項２に於いて、左右一組のデッド挟持片は、トロヨケに形成された案内部分にそれぞれ係合する係合部分を有することを特徴とするデッド用受け金具。
【発明の詳細な説明】
【技術分野】
【０００１】
本発明は、デッド用受け金具に関する。
【背景技術】
【０００２】
マンション、オフイスビル、住宅などの玄関等には、室外又は室内方向へ開く形式の扉が取付けられている。この種の扉は、自由端部にデッドボルト（以下、「デッド」という。）を備えた錠前が取付けられ、その他端部に丁番を介して縦枠に回動可能に取付けられている。一方、前記縦枠には、トロヨケと、ストライクとから成るデッド用の受け金具が取付けられている。
【０００３】
ところで、特許文献１は、ラッチ用の受け金具に関するものであるが、扉に反りが生じた場合でもラッチが突入可能であると共に、扉に反りが生じていない場合には扉がガタ付かないラッチ受箱を提供する旨の記載があり、該ラッチ受箱には、付勢手段と、該付勢手段に付勢された複数枚の縦長状スペーサを内装する事項が記載されている。
【０００４】
また、特許文献２は、引き違い戸の鎌錠装置に関するものであるが、該鎌錠装置を構成するカマ用の受け金具にカマの先端部を受ける鎌受け摺動片をその付勢手段と共に内装する事項が記載されている。
【０００５】
しかし、特許文献１及び特許文献２には、扉が左側（室内側）、或いは右側（室外側）へガタ付いた場合に於いて、デッドを受け金具に内装した一組のデッド挟持片で常に挟持状態で捕捉することにより、扉のガタ付き防止を図る旨及び該目的を達成するための具体的構成は記載されていない。
【特許文献１】特開２００５−３３０７０４号公報
【特許文献２】特開２００１−３１１３３４号公報
【発明の開示】
【発明が解決しようとする課題】
【０００６】
本発明の第１の目的は、扉が室内側、或いは室外側へ反った場合に於いて、デッドがストライクに衝突しないことである。第２の目的は、扉の反り具合に対応して突入するデッドの先端部を常に捕捉し、扉のガタ付防止を図ることである。第３の目的は、部品点数を少なくして、組み合わせの容易化を図ることである。
【課題を解決するための手段】
【０００７】
本発明のデッド用受け金具は、トロヨケと、ストライクとから成るデッド用受け金具に於いて、前記ストライクの矩形開口の幅寸法は、デッドの両側面に対して所要の間隙が生じるように設定され、一方、トロヨケには、ニ分割された左右一組のデッド挟持片と、これらのデッド挟持片をそれぞれ所定位置へと付勢する左右一組の付勢手段を組込み、これらのデッド挟持片は、扉が反った時及び扉の反りが戻った時のいずれの場合であっても、突入するデッドの左右縁部に摺接する摺接面を介して、かつ、前記付勢手段の付勢力に抗して該デッドの先端部をトロヨケの凹所の奥まで挟持状態で案内することを特徴とする。
【発明の効果】
【０００８】
（１）ストライクの矩形開口の幅寸法を、デッドの室内側の側面及び室外側の側面に対してそれぞれ所要の間隙が生じるように設定したので、扉が室内側又は室外側のいずれに反った場合に於いても、デッドがストライクの矩形開口縁部に衝突しない。
（２）左右一組のデッド挟持片は、扉が反った時及び扉の反りが戻った時のいずれの場合であっても、突入するデッドの左右縁部に摺接する摺接面を介して、かつ、付勢手段の付勢力に抗して該デッドの先端部をトロヨケの凹所の奥まで挟持状態で案内する。したがって、常に扉のガタ付き防止を図ることができる。
（３）請求項２及び請求項３に記載の発明は、デッド挟持片とトロヨケとの係合関係が良好であると共に、構成する部品点数が少なくなるので、組み立てが容易となる。
【発明を実施するための最良の形態】
【０００９】
以下、図１乃至図９に示す本発明を実施するための最良の形態により説明する。
【００１０】
（１）発明の実施の環境
図１、図２に於いて、１は扉用縦枠、２はデッド用受け金具、３は水平方向へ開閉する扉、４は錠前、５はデッドボルト（以下、「デッド」という。）、６はサムターンユニットの摘み、７はフロントである。そして、前記デッド用受け金具２は、トロヨケ８と、該トロヨケに対して固定されると共に、扉側のフロントから突出するデッド５を受け入れる矩形開口１０を有するストライク９とから成る。
【００１１】
なお、錠前は電気錠か、それとも機械式かの種類は問わない。また、サムターンユニット６をシリンダー式に代えることもできる。
【００１２】
図１は、説明の便宜上、扉用縦枠１に固定されたデッド用受け金具２と、扉３の自由端部側に固定された錠前４のデッド５を共に示す。また、図２は主要部の分解斜視図である。
【００１３】
周知のように、例えば室内側からサムターンユニットの摘み６を所要量回転操作すると、錠箱内の図示しないダルマを含む駆動機構により、デッド５はフロント７から所定量突出する。また、施錠時、デッド５が突出すると、その先端部５ａは、受け金具２に突入する。
【００１４】
また、図２を基準にすると、受け金具２のストライク９に向かって、矢印Ａの方向を、ここでは左右方向とする（矩形開口１０の幅方向でもあり、或いはデッド５の肉厚方向でもある）。
【００１５】
また、本実施例では、扉３は外開き式に図示していることから、図３を基準にすると、１１は室内側であり、一方、１２は室外側である。さらに、付言すれば、扉の縦枠１はコンクリート製の躯体に固定され、一方、扉３の基端部は丁番（図示せず）を介して他方の扉の縦枠に取付けられ、該扉３は温度条件により歪んだり或いは反ったりする場合がある。これらの事実を前提にして、本発明の実施例を詳細に説明する。
【００１６】
（２）本発明の主要部−ストライク９
まず、ストライク９の形状は、普通一般のそれと異なる所はない。すなわち、従来のデッド用受板の形状に相当するストライク９は、長方形状の金属製板材であり、その中央部には、トロヨケ８のケース状凹部１４へとデッド５を突入させる矩形開口１０が貫通形成されている。
【００１７】
次に、ストライク９の前記矩形開口１０は、普通一般にデッド５の幅（肉厚）方向の左右側面に対して若干の間隙が設定されているが、本実施例の矩形開口の幅寸法は、図７で示すように、例えば室内１１側のデッド５の側面５ｂ及び室外１２側のデッド５の側面５ｃに対してそれぞれ３ｍｍの間隙が生じるように設定されている。つまり、従来のストライク９の矩形開口に対して、本実施例のストライク９の矩形開口１０は、やや大き目に設定されている。
【００１８】
（３）本発明の主要部
デッド受け金具２のトロヨケ８の横向き凹部１４には、ニ分割された左右一組のデッド挟持片１６と、これらのデッド挟持片をそれぞれ所定位置へと付勢する左右一組の付勢手段１７が組込まれている。ここで、説明の便宜上、まず、横長ボックス状トロヨケ８の凹部１４を形成する各部位に符号を付す。８ａは左右の側壁、８ｂは上下の壁、８ｃはこれらの各壁と直交する後壁（手前の開口を基準にすると底壁に相当）である。
【００１９】
しかして、左右の側壁８ａの各内壁面には、付勢手段１７の外端部１７ａが係合するバネ端支持部（例えば支持穴）２１が対向状態に形成されている。また、上下の壁８ａには、凹部１４の長手方向に水平の案内部分２２が対向状態に形成されている。なお、８ｄは開口を形成する上下の縁部から耳状に突出する取付け部分である。
【００２０】
次に、図２、図３等を参照にして、左右一組のデッド挟持片１６を説明する。これらのデッド挟持片１６は、突入するデッド５の左右側壁の縁部１５に対して外向きに傾斜する摺接面２５と、この摺接面２５に交差すると共にトロヨケの凹所１４の側壁８ａの内壁面に対向する付勢手段用支持面２６と、この支持面２６に直交する後壁８ｃ側のガイド面２７とを有するブロック型の立体形状である。
【００２１】
そして、これらのデッド挟持片１６は、不番の上下面に、トロヨケ８の水平案内部分２２にそれぞれ係合する上下の係合部分２８を有している。前記係合部分２８は、本実施例では、左右一対の係合ピン２８であり、これらの係合ピン２８は、デッド挟持片１６の上下面の穴にそれぞれ固定に差込まれている。
【００２２】
なお、付勢手段用支持面２６には、付勢手段１７の内端部１７ｂを支持する支持穴が形成されている。また、符号２９は、摺接面２５の内側の縁部に鈍角方向に連設する圧接部分である。
【００２３】
（４）主要部の作用
左右一組のデッド挟持片１６は、トロヨケ８内に摺動自在に内装されていると共に、それぞれの付勢手段１７によって所定の位置（実施例では、左右の圧接面２９が互いに接触する位置）まで押し出され、左右対称の摺接面２５、２５でデッド５の先端部５ａの左右縁部１５を受けるように待ち構えている（図３参照）。
【００２４】
付言すれば、施錠時、デッド５の先端部５ａは、フロント７からストライク９の矩形開口１０を目指して突入するが、その時、デッド５の先端部５ａの左右縁部１５は、デッド挟持片１６の平面視横向きＶ字形状の摺接面２５にそれぞれ当り、左右のデッド挟持片１６を付勢手段１７のバネ力に抗して押し分ける格好となる（図８及び図９を参照）。
【００２５】
この状態をデッド挟持片１６側から説明すると、デッド挟持片１６は、その摺接面２５でもって、デッド５の先端部５ａを捕捉係合すると共に、各付勢手段１７の付勢力に抗して、かつ、案内部分２２及び係合部分２８を介して後退動しながら、該デッドの先端部５ａをトロヨケ８の凹所１４の奥まで挟持状態で案内する。
【００２６】
前述したように、扉３は外の温度条件によって、「反る」、「反りが戻る」。図５は、扉が矢印で示す左側に反った場合に於いて、デッド５の先端部５ａが所定の位置まで突入した概略説明図である。一方、図６は、扉が矢印で示す右側に反った場合に於いて、デッド５の先端部５ａが所定の位置まで突入した概略説明図である。したがって、図４は、扉の反りが戻った場合の状態を示す。
【００２７】
これらの図から明らかなように、デッド挟持片は、扉が反った時及び扉の反りが戻った時のいずれの場合であっても、突入するデッドの左右縁部に摺接する摺接面を介して、かつ、前記付勢手段の付勢力に抗して該デッドの先端部をトロヨケの凹所の奥まで挟持状態で案内し、左右の圧接面２９でデッド５の先端部５ａを押え付ける。
したがって、左右一組のデッド挟持片１６は、扉３の反り具合に対応してデッド５の先端部５ａを挟むように捕捉係合する。
【実施例】
【００２８】
発明の実施の形態で示した実施例に於いて、左右一組のデッド挟持片１６の摺接面２５は、それぞれストレートの傾斜面であるが、例えば外側に多少曲面状に膨らむ傾斜面であっても良い。また、左右一組のデッド挟持片１６の形態については、普通一般に見られる「車止め台（車輪にあてがうストッパー台）」形状に形成されているが、平面視、直角三角形をベースとして任意に形成することができる。さらに、左右一組のデッド挟持片１６は、同一平面上に位置し、それぞれトロヨケ８の上下壁８ｂの水平案内部分２２に案内されるが、例えば一方側のデッド挟持片１６をトロヨケ８の上壁８ｂにガイド支持杆を介して吊り下げ状態にすることも可能である。
【００２９】
また、本発明の目的を達成できる範囲内に於いて、デッドの左右縁部１５をアール又は傾斜状に形成しても良い。
【産業上の利用可能性】
【００３０】
本発明は、主に建具や錠前の業界で利用される。
【図面の簡単な説明】
【００３１】
図１乃至図９は本発明の最良の実施例を示す各説明図。
【図１】実施の環境を示す概略説明図。
【図２】主要部の分解斜視図。
【図３】平面視から内部構造を示す概略説明図（解錠状態）。
【図４】扉の反りが戻った場合の概略説明図（施錠状態）。
【図５】扉が矢印で示す左側に反った場合の概略説明図（施錠状態）。
【図６】扉が矢印で示す右側に反った場合の概略説明図（施錠状態）。
【図７】本発明の間隙に関する説明図。
【図８】図４の扉の反りが戻った場合に於いて、デッド挟持片の作用を示す概略説明図。
【図９】図５の扉が左側に反った場合に於いて、デッド挟持片の作用を示す概略説明図。
【符号の説明】
【００３２】
1…縦枠、２…デッド用受け金具、３…扉、４…錠前、５…デッドボルト（デッド）、５ａ…デッドの先端部、５ｂ，５ｃ…デッド５の側面、７…フロント、８…トロヨケ、８ａ…左右の側壁、８ｂ…上下の壁、８ｃ…後壁、９…ストライク、１０…矩形開口、１１…室内、１２…室外、１４…凹部、１５…デッドの左右縁部、１６…デッド挟持片、１７…付勢手段、１７ａ…外端部、１７ｂ…内端部、２１…バネ端支持部、２２…案内部分、２５…摺接面、２６…付勢手段用支持面、２７…ガイド面、２８…係合部分、２９…圧接部分。
【図１】
2007224671.tif 000003
【図２】
2007224671.tif 000004
【図３】
2007224671.tif 000005
【図４】
2007224671.tif 000006
【図５】
2007224671.tif 000007
【図６】
2007224671.tif 000008
【図７】
2007224671.tif 000009
【図８】
2007224671.tif 000010
【図９】
2007224671.tif 000011